(57)【要約】【課題】  液面制御に優れる自動調整機能を有し、装置の大型化につながる構造を排除した液面自動制御装置を提供する。【解決手段】  主弁装置が、底部二重構造の主弁箱と内部に設備された主弁及び補助弁並びに主弁装置に連結され、制御用シリンダーが内部に設備された上室・下室を有するシリンダー箱を備え、機械式切替弁装置は、上下移動する切替弁、機械式切替弁装置の内部には、制御用シリンダーを押し下げて、主弁及び補助弁を閉め、液面が所定の位置より下がり制御用フロートにより、切替弁が最低位に下がったときには、機械式切替弁装置の内部に導入されたパイロット液が切替弁内部の流路を介して前記シリンダー箱の下室に供給されることにより、制御用シリンダーを押し上げて主弁及び補助弁を開ける構造の液面自動制御装置。【選択図】      図１
2009236155.tif 000002
【特許請求の範囲】
【請求項１】
主弁装置、機械式切替弁装置及び制御用フロートを有する液面制御装置であって、前記主弁装置は、底部二重構造の主弁箱と内部に設備された主弁及び補助弁並びに前記主弁装置に連結され、制御用シリンダーが内部に設備された上室・下室を有するシリンダー箱を備え、前記機械式切替弁装置は、内部に流路を有し、制御用フロートの位置により上下移動する切替弁、制御用パイロット液挿入口と２つの排液口を備え、前記機械式切替弁装置の内部には、前記主弁装置の上流側から、制御用パイロット液挿入口を介して制御用パイロット液が圧力をかけた状態で供給され、液面が所定の位置にあるときは、前記制御用フロートより、前記切替弁は最高位に押し上げられて、前記機械式切替弁装置の内部に導入されたパイロット液が切替弁内部の流路を介して前記シリンダー箱の上室に供給されることにより、前記制御用シリンダーを押し下げて、主弁及び補助弁を閉め、液面が所定の位置より下がり前記制御用フロートにより、前記切替弁が最低位に下がったときには、前記機械式切替弁装置の内部に導入されたパイロット液が切替弁内部の流路を介して前記シリンダー箱の下室に供給されることにより、前記制御用シリンダーを押し上げて主弁及び補助弁を開ける構造の液面自動制御装置。
【請求項２】
請求項１記載の液面自動制御装置の主弁箱の内部に、さらに、一体的に組み込まれた主弁と補助弁とを備える液面自動制御装置。
【請求項３】
前記補助弁の受圧面積が、前記主弁の受圧面積に対して３／４以上である請求項２記載の液面自動制御装置。
【請求項４】
前記制御用シリンダーの断面積が、前記主弁の受圧面積の１／４以上である請求項１〜３のいずれかに記載の液面自動制御装置。
【請求項５】
機械式弁装置の切替弁が、制御フロートの上下運動と連動する請求項１〜４のいずれかに記載の液面自動制御装置。
【発明の詳細な説明】
【技術分野】
【０００１】
本発明は、液面自動制御装置に関する。
【背景技術】
【０００２】
従来から、液面調整装置としては各種のものが提案されているが、その一例として、ボールタップ式の液面調整装置が広く用いられている。
【０００３】
その基本的構成は、図３に示すように、水槽２１内に張られる水の液面に浮かぶ浮子となるボール２８を有し、このボールが水槽２１内の水位の変動により上下に動く作動を、リンク杆２７を介し作動を拡大して弁箱２５に伝え、その拡大されるボールの動きにより、弁棒３３を、上・下方向に作動させるようにし、水槽２１内の水位が下がりボールが下方に動くと、弁棒３３の下降と共に弁体が開くよう開弁作動を行い、水位が上昇してボール２８が上方に動いてくると、弁棒３３の上昇と共に弁体が閉じる閉弁作動が行われるように構成してある（例えば、特許文献１参照）。
【特許文献１】特開平８−１８４３８９号公報
【０００４】
しかしながら、上記に記載された従来のボールタップ式の液面調整装置では、液面制御用のボールが水圧に比例し大型化、また、ボールを支えるリンク杆の耐久性にも問題があった。
【発明の開示】
【発明が解決しようとする課題】
【０００５】
本発明は、液面制御に優れる自動調整機能を有し、装置の大型化につながる構造を排除した液面自動制御装置を提供することを目的とするものである。
【課題を解決するための手段】
【０００６】
本発明者は、鋭意検討の結果、新しい技術思想に基づく機械式切替弁装置を導入することで、上記課題を解決できることを見出し、本発明を完成するに至った。すなわち、本発明は次の事項に関する。
【０００７】
（１）主弁装置、機械式切替弁装置及び制御用フロートを有する液面制御装置であって、前記主弁装置は、底部二重構造の主弁箱と内部に設備された主弁及び補助弁並びに前記主弁装置に連結され、制御用シリンダーが内部に設備された上室・下室を有するシリンダー箱を備え、前記機械式切替弁装置は、内部に流路を有し、制御用フロートの位置により上下移動する切替弁、制御用パイロット液挿入口と２つの排液口を備え、前記機械式切替弁装置の内部には、前記主弁装置の上流側から、制御用パイロット液挿入口を介して制御用パイロット液が圧力をかけた状態で供給され、液面が所定の位置にあるときは、前記制御用フロートより、前記切替弁は最高位に押し上げられて、前記機械式切替弁装置の内部に導入されたパイロット液が切替弁内部の流路を介して前記シリンダー箱の上室に供給されることにより、前記制御用シリンダーを押し下げて、主弁及び補助弁を閉め、液面が所定の位置より下がり前記制御用フロートにより、前記切替弁が最低位に下がったときには、前記機械式切替弁装置の内部に導入されたパイロット液が切替弁内部の流路を介して前記シリンダー箱の下室に供給されることにより、前記制御用シリンダーを押し上げて主弁及び補助弁を開ける構造の液面自動制御装置。
【０００８】
（２）上記（１）記載の液面自動制御装置の主弁箱の内部に、さらに、一体的に組み込まれた主弁と補助弁とを備える液面自動制御装置。
（３）補助弁の受圧面積が、前記主弁の受圧面積に対して３／４以上である上記（２）記載の液面自動制御装置。
【０００９】
（４）制御用シリンダーの断面積が、前記主弁の受圧面積の１／４以上である上記（１）〜（３）のいずれかに記載の液面自動制御装置。
（５）機械式弁装置の切替弁が、制御フロートの上下運動と連動する上記（１）〜（４）のいずれかに記載の液面自動制御装置。
【発明の効果】
【００１０】
本発明の液面自動制御装置を用いることにより、装置を大型化することなく、簡易な装置で、液面の自動制御が可能となる。
【発明を実施するための最良の形態】
【００１１】
以下、発明を実施するための最良の形態を、図１及び図２に基づいて詳しく説明する。
図１及び図２の液面自動制御装置は、主弁装置１、機械式切替弁装置１２及び制御用フロート１４を備えており、前記主弁装置１は、底部二重構造の主弁箱と内部に設備された主弁４及び補助弁２並びに前記主弁装置１に連結され、制御用シリンダー６が内部に設備された上室・下室を有するシリンダー箱５を備えている。
【００１２】
また、前記機械式切替弁装置１２は、内部に流路ｋ；ｎを有し、制御用フロート１４の位置により上下移動する切替弁７；１１、制御用パイロット液挿入口ｇと２つの排液口ｒを備え、前記機械式切替弁装置１２の内部には、前記主弁装置１の上流側から、制御用パイロット液挿入口ｇを介して制御用パイロット液が圧力をかけた状態で供給される。
【００１３】
液面が所定の位置にあるときは、前記制御用フロート１４より、前記切替弁７；１１は最高位に押し上げられて、前記機械式切替弁装置１２の内部に導入されたパイロット液が機械式切替弁装置１２内部の流路ｈを介して前記シリンダー箱５の上室ｆに供給されることにより、前記制御用シリンダー６を押し下げて、主弁４及び補助弁２を閉め、液面が所定の位置より下がり前記制御用フロート１４により、前記切替弁７；１１が最低位に下がったときには、前記機械式切替弁装置１２の内部に導入されたパイロット液が切替弁７；１１の内部の流路ｉを介して前記シリンダー箱５の下室に供給されることにより、前記制御用シリンダー６を押し上げて主弁４及び補助弁２を開ける構成を有している。
【００１４】
前記主弁箱１の内部には、一体的に組み込まれた主弁４と補助弁２とが備えられている。
前記補助弁２の受圧面積ｗは、前記主弁の受圧面積ｘに対して３／４以上であることが好ましい。
前記制御用シリンダー６の断面積ｖは、前記主弁の受圧面積ｘの１／４以上であることが好ましい。
前記機械式弁装置１２の切替弁７：１１は、制御用フロート１４の上下運動と連動する構造となっている。
【００１５】
図１は、制御水位は満水位時となったときの本発明の液面自動制御装置を示したものである。
制御液面が満水位に達すると制御用フロート１４が上がりそれに連結された械式切替弁装置１２の切替弁７；１１が最高位に押し上げられて、前記機械式切替弁装置１２の内部に導入されたパイロット液ｇが機械式切替弁装置１２の流路ｈを介してシリンダー箱の上室ｆに供給されることにより、制御用シリンダー６を押し下げて、主弁４及び補助弁２を閉め供給を停止する。
【００１６】
図２は、制御水位が低水位時となったときの本発明の液面自動制御装置を示したものである。
制御液面が低水位に達すると制御用フロート１４が下がりそれに連結された機械式切替弁装置１２の切替弁７；１１が最低位に押し上げられて、前記機械式切替弁装置１２の内部に導入されたパイロット液ｇが機械式切替弁装置の切替弁７；１１の流路ｉを介してシリンダー箱の下室ｅに供給されることにより、制御用シリンダー６を押し上げて、主弁４及び補助弁２を開け供給を開始する。
【００１７】
以下、それぞれの構成について詳しく説明する。
本発明において、主弁箱内の主弁４、補助弁２は耐久性の高い性質のものが望ましく、例えば、ステンレス、鋳鉄等が挙げられる。
また、シール材４Ｓ、２Ｓには、密閉性向上のため弾性体の使用が望ましく、例えば、天然ゴム、シリコーン等が挙げられる。
【００１８】
本発明において、シリンダー箱内の制御用シリンダー６には、耐久性の高い性質のものが望ましく、例えば、ステンレス、アルミニウム等が挙げられる。
また、シール材６Ｓには、密閉性向上のため弾性体の使用が望ましく、例えば、天然ゴム、シリコーン等が挙げられる。
【００１９】
本発明において、機械式切替弁装置１２には、エア抜き弁１２Ｓを設置するのが、望ましく、さらにエア抜き弁１２Ｓエア抜き調整機能をつけると制御シリンダー６の制御性が向上する点で、より望ましい。
【００２０】
本発明において、機械式切替弁装置の切替弁７；１１には、耐久性の高い性質のものが望ましく、例えば、ステンレス、アルミニウム等が望ましいが、プラスチックを使用しても問題はない。
【図面の簡単な説明】
【００２１】
【図１】本発明の実施例になる液面自動制御装置の概略図であり、制御液面が満水時の状態を示すものである。
【図２】本発明の実施例になる液面自動制御装置の概略図であり、制御液面が低水位時となったときの状態を示すものである。
【図３】従来のボールタップ式の液面調整装置の概略図である。
【符号の説明】
【００２２】
１  主弁装置
２  補助弁
４  主弁
５  シリンダー箱
６  制御用シリンダー
７  切替弁
１１  切替弁
１２  機械式切替弁装置
１４  制御用フロート
２１  水槽
２５  弁箱
２７  リンク杵
２８  ボール
３３  弁棒
【図１】
2009236155.tif 000003
【図２】
2009236155.tif 000004
【図３】
2009236155.tif 000005